(57)【要約】【課題】非常点滅スイッチの方に視線を向けなくても非常点滅スイッチを操作できるようにする。【解決手段】柔軟性のある厚手のシートを三角形状に形成し、裏面に粘着層を設けたシールとする。該シールは、車両の非常点滅表示灯を操作する非常点滅スイッチの表面に貼り付け、運転者が手で触れて三角形状のシールが貼られていることを認識することにより、貼られているスイッチが非常点滅スイッチであることを確認する用途に用いる。【選択図】図４
0003138095.tif 000002
【実用新案登録請求の範囲】
【請求項１】
柔軟性のある厚手のシートを用いて三角形状に形成され、裏面に粘着層が形成された構成のシールであって、
車両の非常点滅表示灯を操作する非常点滅スイッチの表面に貼り付け、運転者が手で触れて三角形状のシールが貼られていることを認識することにより、貼られているスイッチが前記非常点滅スイッチであることを確認する用途に用いる非常点滅スイッチ表面への貼付用シール。
【請求項２】
請求項１に記載の貼付用シールにおいて、該シールは透明な材料で形成されていることを特徴とする非常点滅スイッチ表面への貼付用シール。
【請求項３】
請求項１に記載の貼付用シールにおいて、該シールは不透明な材料で形成され、表面には非常点滅スイッチであること意味する記号又は文字が表示されていることを特徴とする非常点滅スイッチ表面への貼付用シール。
【考案の詳細な説明】
【技術分野】
【０００１】
本考案は、車両の非常点滅表示灯（ハザードランプ）をＯＮ／ＯＦＦ操作するための非常点滅スイッチに関する。
【背景技術】
【０００２】
道路交通法には、「車両等は夜間道路にあるときは、政令で定めるところの前照灯、車幅灯、尾灯、その他の灯火をつけなければならない。」と規定されている。非常点滅表示灯はその他の灯火に該当し、使うときについては「夜間、道路の幅員が５．５メートル以上の道路に停車し、又は駐車しているときは、車両の保安基準に関する規定により設けられる非常点滅表示灯又は尾灯をつけなければならい。」とある。
【０００３】
このように非常点滅表示灯は、夜間の停車、駐車の際に点灯させて周囲に注意を促すことが本来の目的である。非常点滅表示としては、前後左右の方向指示灯（ウィンカー）を同時に点滅させる。しかし、近年、高速道路において渋滞を後続車に知らせるためとか、進路を譲ってもらったときの感謝のしるしとかのために非常点滅表示灯を点滅される運転者が増えている。
【０００４】
非常点滅表示灯を操作する非常点滅スイッチは、運転席計器盤の中央付近に配置されている場合が多い。図６は、非常点滅スイッチ２０が運転席のカーナビゲーション装置２１の下部に取り付けられた一連のスイッチ群２２の中に配置されている例である。非常点滅スイッチ２０がこのような位置に取り付けられていると、それを操作するためには運転者は、視線をその方向に向けねばならず、その間、前方不注意となる。高速走行中にそのようなスイッチ操作を行なうことによる前方不注意が度重なった場合には、いつか重大事故を引き起しかねない。
【０００５】
こうした問題に対処する技術として例えば特許文献１には、運転者の差し出した手が握り拳状態と開放状態との間で繰り返された回数をカメラで認識し、その回数が所定回数であったときに非常点滅表示灯を点滅させる技術が開示されている。しかし、このようなパターン認識を行なう装置は複雑で高価になる欠点がある。また特許文献２には、ライトスイッチレバーに非常点滅表示灯を数回点滅させる機能を付加する技術が開示されている。この場合も数回点滅させる機能を付加するための改造が必要となる問題がある。
【特許文献１】特開２００５−２３９００３号公報
【特許文献２】特開２００５−４１４４６号公報
【考案の開示】
【考案が解決しようとする課題】
【０００６】
本考案は、従来技術のこうした問題点を解決するためになされたもので、その課題は複雑な装置の追加や改造を要することなく、且つ運転者が視線を車両前方に据えたまま非常点滅スイッチを操作できるようにする技術を提供することにある。
【課題を解決するための手段】
【０００７】
前記課題を解決するための請求項１に記載の考案は、柔軟性のある厚手のシートを用いて三角形状に形成され、裏面に粘着層が形成された構成のシールであって、車両の非常点滅表示灯を操作する非常点滅スイッチの表面に貼り付け、運転者が手で触れて三角形状のシールが貼られていることを認識することにより、貼られているスイッチが非常点滅スイッチであることを確認する用途に用いる非常点滅スイッチ表面への貼付用シールである。
【０００８】
このようなシールが非常点滅スイッチ表面に貼り付けてあると、表面が三角形状に盛り上がっていることから、運転者は非常点滅スイッチの方に視線を向けなくても手さぐりで非常点滅スイッチの位置を確認できる。従って、走行中であっても視線を車両前方に向けたまま非常点滅スイッチを操作して安全に非常点滅表示灯を点滅動作させることができる。
【０００９】
また、請求項２に記載の考案は、請求項１に記載の貼付用シールにおいて、該シールは透明な材料で形成されていることを特徴とする非常点滅スイッチ表面への貼付用シールである。
【００１０】
このような構成にしておけば、非常点滅スイッチの表面に記された非常点滅スイッチであることを示す記号や文字を貼付用シール１を通して視認することができる。
【００１１】
また、請求項３に記載の考案は、請求項１に記載の貼付用シールにおいて、該シールは不透明な材料で形成され、表面には非常点滅スイッチであること意味する記号又は文字が表示されていることを特徴とする非常点滅スイッチ表面への貼付用シールである。
【００１２】
このような構成にしてあれば、シールの貼り付けてあるスイッチが非常点滅スイッチであることを認識することができる。
【考案を実施するための最良の形態】
【００１３】
以下、本考案を実施するための一形態を図面を参照して説明する。図１は本考案に係る非常点滅スイッチ表面への貼付用シール１の構成図である。（１）は正面図、（２）は側面図である。貼付用シール１は本体部２と粘着層３とからなる。本体部２は柔軟性のある透明な厚手のシートを材料として三角形状に形成されている。材料としては、例えば硬質ウレタンゴム、合成ゴム等である。厚みは１ｍｍ以上あることが好ましい。粘着層３は本体部２の裏面に形成されており、本体部２を非常点滅スイッチの表面に貼り付けるためのものである。
【００１４】
図２は、運転席計器盤に取り付けられたスイッチ群５の中に配置された非常点滅スイッチ６に、本考案に係る貼付用シール１を貼り付けた状態である。図３は、図２のＡ−Ａ線に沿った断面図である。貼付用シール１は厚手のシートで製作されているため、非常点滅スイッチ６の表面はシール１の厚み分だけ三角形状に盛り上がった状態となる。貼付用シール１の材質は透明であるため、非常点滅スイッチ６の表面に記された非常点滅スイッチであることを示す記号８や文字を貼付用シール１を通して視認することができる。
【００１５】
このような厚手シールで製作された三角形状の貼付用シール１が非常点滅スイッチ６の表面に貼り付けてあると、運転者は非常点滅スイッチ６の方に視線を向けなくても手さぐりで非常点滅スイッチ６の位置を確認して操作することができる。図４は、左手の指先で非常点滅スイッチ６の位置を確認している状態を示している。運転者は非常点滅スイッチ６の配置されている概略の位置を認識しているので、その付近に手を伸ばし、指先で表面が三角形状に盛り上がったスイッチを探しだす。そのようにして見つけたスイッチが非常点滅スイッチ６であるので、指先でそのスイッチをＯＮ／ＯＦＦ操作して非常点滅表示灯を点滅させる。
【００１６】
このようにして本実施形態の貼付用シール１を非常点滅スイッチ６の表面に貼っておけば、走行中であっても車両前方から視線をそらすことなく非常点滅スイッチ６を操作することができる。夜間走行で運転台の照明が暗くしてある場合でも、非常点滅スイッチ６を操作することができる。従って、非常点滅スイッチ６の操作のために視線を走行中の車両前方からそらす必要がなくなる。そのため前方不注意になることが防止されて事故防止に効果を発揮する。
【００１７】
（変形実施形態）
（その１）前記実施形態では貼付用シール１を透明な材質で製作し、シールを通して非常点滅スイッチ６の表面に記された非常点滅スイッチであることを示す記号や文字を視認できるようにした。これに代えて、貼付用シール１を不透明な材質で製作し、その表面に非常点滅スイッチであることを示す記号や文字を記してもよい。図５は、そのような記号９を記した貼付用シール１ａの例である。
【００１８】
（その２）前記実施形態では貼付用シール１を三角形状に形成したが、三角形状に限らず指先でそれと確認できるような形状であればよい。例えば、丸、楕円、四角、四角枠等の形状にしてもよい。また、表面に点字のような凹凸を設けてもよい。
【図面の簡単な説明】
【００１９】
【図１】本考案に係る貼付用シールである。
【図２】運転席計器盤に取り付けられたスイッチ群中の非常点滅スイッチに貼付用シールを貼り付けた状態である。
【図３】図２のＡ−Ａ線に沿った断面図である。
【図４】左手の指先で非常点滅スイッチの位置を確認している状態図である。
【図５】非常点滅スイッチであることを示す記号や文字を記した貼付用シールの例である。
【図６】非常点滅スイッチの配置例である。
【符号の説明】
【００２０】
図面中、１は貼付用シール、２はシールの本体部、３は粘着層、５はスイッチ群、６は非常点滅スイッチを示す。
【図１】
0003138095.tif 000003
【図２】
0003138095.tif 000004
【図３】
0003138095.tif 000005
【図４】
0003138095.tif 000006
【図５】
0003138095.tif 000007
【図６】
0003138095.tif 000008